(57)【要約】      （修正有）【課題】揮発性有機化合物の検出警告方法を提供する。【解決手段】ガスセンサー及びガス輸送作動器からなる作動センサーモジュールを提供するステップ（S102）と、気体の輸送及び観測を実施し、ガス輸送作動器により一定輸出量のガスをガスセンサーまで輸送し、作業観測時間ごとに観測した揮発性有機化合物の数値を観測数値とするステップ（S104）と、観測数値を計算して累積比較数値を取得し、ガスセンサーが単位時間内に観測した全ての観測数値を累積計算することにより、累積比較数値を取得するステップ（S106）と、比較判断及び警告し、累積比較数値と人間の健康に影響を与える有害代謝量とを比較することにより判断し、累積比較数値は有害代謝量より高い場合、作動センサーモジュールが通知警告を発信し、使用者に保護対策を提供するステップ（S108）とを含む揮発性有機化合物の検出警告方法である。【選択図】図１
2019114247.tif 000002
【特許請求の範囲】
【請求項１】
揮発性有機化合物の検出警告方法であって、
（ａ）  作動センサーモジュールを提供し、前記作動センサーモジュールがガスセンサー及びガス輸送作動器を含むステップと、
（ｂ）  気体の輸送及び観測を実施し、前記ガス輸送作動器により一定輸出量のガスを前記ガスセンサーまで輸送し、前記ガスセンサーが作業観測時間ごとに観測した揮発性有機化合物の数値を観測数値とするステップと、
（ｃ）  観測数値を計算して累積比較数値を取得し、前記ガスセンサーが単位時間内に観測した全ての前記観測数値を累積計算することにより、前記累積比較数値を取得するステップと、  
（ｄ）  比較判断及び警告し、前記累積比較数値と人間の健康に影響を与える有害代謝量とを比較することにより判断し、前記累積比較数値が前記有害代謝量より高い場合、前記作動センサーモジュールが通知警告を発信し、使用者に保護対策を提供するステップと、
を含むことを特徴とする揮発性有機化合物の検出警告方法。
【請求項２】
前記ガスセンサーが作業観測時間ごとに観測した前記揮発性有機化合物の前記観測数値が前記有害代謝量より高いと、前記作動センサーモジュールが通知警告を発信し、使用者に保護対策を提供する、ことを特徴とする請求項１に記載の揮発性有機化合物の検出警告方法。
【請求項３】
前記ガス輸送作動器が輸送する前記一定輸出量は、１Ｌ〜１４Ｌ／ｍｉｎのガス輸送量である、ことを特徴とする請求項１に記載の揮発性有機化合物の検出警告方法。
【請求項４】
前記作動センサーモジュールはマイクロプロセッサ及び通信伝送器をさらに含み、前記マイクロプロセッサは、前記ガスセンサーが観測した前記観測数値の情報に対して、演算処理を行い、ガス輸送作動器の動作を制御し、前記通信伝送器は、前記マイクロプロセッサが処理して変換した出力データを連結装置に送信することで、前記連結装置が前記出力データの情報を表示、保存及び伝送する、ことを特徴とする請求項１に記載の揮発性有機化合物の検出警告方法。
【請求項５】
前記連結装置は通知警告の保護対策を実施することに使用される、ことを特徴とする請求項４に記載の揮発性有機化合物の検出警告方法。
【請求項６】
前記連結装置は有線伝送モジュールを有する表示装置であり、通知警告の保護対策を表示するために使用され、前記有線伝送モジュールはＵＳＢ、ｍｉｎｉ−ＵＳＢ、ｍｉｃｒｏ−ＵＳＢのうちの少なくとも一つの有線接続方式を使用する、ことを特徴とする請求項４に記載の揮発性有機化合物の検出警告方法。
【請求項７】
前記連結装置は無線伝送モジュールを有する表示装置であり、通知警告の保護対策を表示するために使用され、前記無線伝送モジュールはＷｉ−Ｆｉモジュール、ブルートゥースモジュール、無線周波数識別モジュール、近距離通信モジュールのうちの少なくとも一つの無線接続方式を使用する、ことを特徴とする請求項４に記載の揮発性有機化合物の検出警告方法。
【請求項８】
前記連結装置は無線伝送モジュールを有する携帯可能なモバイル装置であり、表示、音、光、または振動のうちの少なくとも一つの方式により、通知警告の保護対策を表示する、ことを特徴とする請求項４に記載の揮発性有機化合物の検出警告方法。
【請求項９】
前記ガス輸送作動器は、入気板、共振片、圧電アクチュエーターを含み、
前記入気板は、少なくとも一つの入気孔と、少なくとも一つの合流ガイド槽と、合流チャンバーを構成する中心凹部とを有し、前記少なくとも一つの入気孔が気流を導入するように用いられ、前記合流ガイド槽が前記入気孔に対応し、且つ、前記入気孔の気流を前記中心凹部が構成する前記合流チャンバーまで合流させるように誘導し、
前記共振片は、前記合流チャンバーに対応する中空孔を有し、前記中空孔の周囲が可動部材であり、
前記圧電アクチュエーターは前記共振片と対応するように設置され、懸吊板、外枠、少なくとも一つのブラケット、圧電性片を有し、
前記懸吊板は第１表面及び第２表面を有し、且つ曲げ振動可能であり、
前記外枠は前記懸吊板の外側を囲むように設置され、
前記少なくとも一つのブラケットは弾性支持を提供するように、前記懸吊板と前記外枠の間に接続して設けられ、
前記圧電性片は辺の長さを有し、前記辺の長さが前記懸吊板の辺の長さより短いか等しく、且つ前記圧電性片が前記懸吊板の前記第１表面に付着し、電圧印加により前記懸吊板を駆動して曲げ振動させ、
前記共振片と前記圧電アクチュエーターの間には間隙を有することでチャンバーを形成し、前記圧電アクチュエーターが駆動される際に、気流を前記入気板の前記少なくとも一つの入気孔を介して導入させ、前記少なくとも一つの合流ガイド槽を介して前記中心凹部まで合流させ，また前記共振片の前記中空孔を介して前記チャンバー内に入り、前記圧電アクチュエーター及び前記共振片の前記可動部材が共振を形成して気流を輸送する、ことを特徴とする請求項１に記載の揮発性有機化合物の検出警告方法。
【請求項１０】
揮発性有機化合物の検出警告方法であって、
（ａ）少なくとも一つの作動センサーモジュールを提供し、前記作動センサーモジュールが少なくとも一つのガスセンサー及び少なくとも一つのガス輸送作動器を含むステップと、
（ｂ）気体の輸送及び観測を実施し、前記ガス輸送作動器により少なくとも一つの一定輸出量のガスを前記ガスセンサーまで輸送し、前記ガスセンサーが作業観測時間ごとに観測した少なくとも一つの揮発性有機化合物の数値を少なくとも一つの観測数値とするステップと、
（ｃ）観測数値を計算して少なくとも一つの累積比較数値を取得し、前記ガスセンサーが少なくとも一つの単位時間内に観測した全ての前記観測数値を累積計算することにより、前記累積比較数値を取得するステップと、
（ｄ）  比較判断及び警告し、前記累積比較数値と人間の健康に影響を与える少なくとも一つの有害代謝量とを比較することにより判断し、前記累積比較数値が前記有害代謝量より高い場合、前記作動センサーモジュールが少なくとも一つの通知警告を発信し、使用者に保護対策を提供するステップと、
を含むことを特徴とする揮発性有機化合物の検出警告方法。
【発明の詳細な説明】
【技術分野】
【０００１】
本発明は、揮発性有機化合物の検出警告方法に関し、特に作動センサーモジュールを用いてガスを導入して観測する揮発性有機化合物の検出警告方法に関する。
【背景技術】
【０００２】
近年、大気汚染の問題はますます深刻になっており、大気中の各種汚染物質による健康被害を回避する方法が、徐々に世間の注目となっている。一般的な大気汚染物質には揮発性有機化合物（ＶｏｌａｔｉｌｅＯｒｇａｎｉｃＣｏｍｐｏｕｎｄｓ、以下、ＶＯＣｓに省略）が含まれており、常温ではガスとして存在し、強い揮発性を有し、例としては、ホルムアルデヒド、トルエン、キシレン、エチレンベンゼン及びプロピレンベンゼン等がある。ＶＯＣｓの由来は、燃料の燃焼と交通輸送により発生する排気ガス以外にも、建築および装飾材料（例えば、塗料、コーティング剤および接着剤）により室内の家庭環境に散らばり、長年にわたり人体に損傷を与える。室内のＶＯＣｓの濃度が一定の濃度を超えると、人々は短時間でも頭痛、吐き気、嘔吐、及び四肢の脱力感を感じられる。重症の場合、痙攣、昏睡、記憶喪失も生じる。ＶＯＣｓは、肝臓、腎臓、脳、そして人間の神経系に害を及ぼし、また、多くの発がん物質を含んでいる。
【０００３】
現有のＶＯＣｓ検出技術は検出装置の体積が小さい状況であり、即座で精確な検出を行うためには、改善する余地が残っている。同時に、現在市場には環境中のＶＯＣｓが危険な程度になったことを検出して使用者に警告を出す携帯式装置がない。そのため、ＶＯＣｓの検出精度が低くて即座に使用者に警告を出せない点が、業界が解決しようとする課題である。
【発明の概要】
【発明が解決しようとする課題】
【０００４】
本発明は、揮発性有機化合物の検出警告方法を提供する。該方法は、作動センサーモジュールのガス輸送作動器を用い，空気中のガスを作動センサーモジュールのガスセンサーまで輸送し、ガスセンサーが単位時間内の作業観測時間ごとに観測したＶＯＣｓの観測数値を累積計算して累積比較数値を算出する。累積比較数値が人間の健康に影響を与える有害代謝量より高いことを判断した際に、該作動センサーモジュールは通知警告を使用者に発信する。このように、気体の輸送ステップによりＶＯＣs検出の精度を高めるだけではなく、環境中のＶＯＣｓが危険な程度になったことが検出されると使用者に警告を出す。これにより、従来技術のＶＯＣｓ検出精度が高くない、また、早速使用者に警告を出せない問題を解決できる。
【課題を解決するための手段】
【０００５】
本発明の一般的な実施形態において、揮発性有機化合物の検出警告方法は、以下のようなステップを含む。作動センサーモジュールを提供し、該作動センサーモジュールはガスセンサー及びガス輸送作動器を含むステップと、気体の輸送及び観測を実施し、該ガス輸送作動器により一定輸出量のガスを該ガスセンサーまで輸送し、該ガスセンサーは、作業観測時間ごとに観測した揮発性有機化合物の数値を観測数値とするステップと、観測数値を計算して累積比較数値を取得し、該ガスセンサーが単位時間内に観測した全ての該観測数値を累積計算することにより、該累積比較数値を取得するステップと、比較判断及び警告し、該累積比較数値と人間の健康に影響を与える有害代謝量とを比較することにより判断し、該累積比較数値が該有害代謝量より高い場合、該作動センサーモジュールが通知警告を発信し、使用者に保護対策を提供するステップと、を含むことを特徴とする。
【０００６】
本発明の一つの好ましい実施形態において、ガス輸送作動器が輸送するガスの平均量は１Ｌ〜１４Ｌ／ｍｉｎのガス輸送量である。該ガスセンサーが該作業観測時間ごとに観測したＶＯＣＳの観測数値が人間の健康に影響を与える有害代謝量より高いと判断されると、該作動センサーモジュールが通知警告を発信し、使用者に保護対策を提供する。なお、前述した有害代謝量は、該作業観測時間内に人間が該揮発性有機化合物を吸い込んで耐えられる安全暴露量の上限値である。
【０００７】
本発明の好ましい実施形態において、該作動センサーモジュールはマイクロプロセッサ及び通信伝送器を含み、そして、マイクロプロセッサは、ガスセンサーが観測した観測数値の情報に対して、演算処理を行い、ガス輸送作動器の動作を制御する。通信伝送器は、マイクロプロセッサが処理して変換した出力データを連結装置に送信することで、該連結装置が出力データの情報を表示、保存及び伝送する。
【図面の簡単な説明】
【０００８】
【図１】本発明の一つの好ましい実施形態における揮発性有機化合物の検出警告方法のステップを示す図である。
【図２】本発明の好ましい実施形態における作動センサーモジュールのブロック図である。
【図３】本発明の好ましい実施形態におけるガスセンサーが単位時間内に観測した結果を示す図である。
【図４】本発明の好ましい実施形態における作動センサーモジュールの外観構造を示す図である。
【図５】図４が示す作動センサーモジュールの動作を示す図である。
【発明を実施するための形態】
【０００９】
以下、本発明の特徴及び利点を具体化する実施形態を詳細に説明する。本発明は、様々な態様において様々な変更が可能であり、いずれも本発明の範囲から逸脱せず、且つそのうちの説明および図面は本質上に説明するために用いられ、限定として解釈されるものではないことを理解されたい。
【００１０】
図１及び図２に示すように、本発明は揮発性有機化合物の検出警告方法を提供する。揮発性有機化合物の検出警告方法は、少なくとも一つの作動センサーモジュール１、少なくとも一つのガスセンサー１２、少なくとも一つのガス輸送作動器１１、少なくとも一つの一定輸出量のガス、少なくとも一つの揮発性有機化合物の数値、少なくとも一つの観測数値、少なくとも一つの累積比較数値、少なくとも一つの単位時間、少なくとも一つの有害代謝量、少なくとも一つの通知警告を含み、以下の実施形態における作動センサーモジュール１、ガスセンサー１２、ガス輸送作動器１１、一定輸出量のガス、揮発性有機化合物の数値、観測数値、累積比較数値、単位時間、有害代謝量、通知警告は一つにして例として説明しているが、これに限定されない。作動センサーモジュール１、ガスセンサー１２、ガス輸送作動器１１、一定輸出量のガス、揮発性有機化合物の数値、観測数値、累積比較数値、単位時間、有害代謝量、通知警告は複数の組み合わせでも良い。
【００１１】
図１及び図２を参照されたい。図１は、本発明の一つ好ましい実施形態における揮発性有機化合物の検出警告方法のステップを示す図である。図２は、本発明の好ましい実施形態における作動センサーモジュールのブロック図である。まず、ステップＳ１０２において、本発明におけるＶＯＣｓの検出警告方法は、作動センサーモジュール１を提供する。図２に示すように、作動センサーモジュール１はガス輸送作動器１１及びガスセンサー１２を含み、本実施形態においては、マイクロプロセッサ１３と通信伝送器１４をさらに含むが、これに限定されない。そして、ガス輸送作動器１１の作動により圧力勾配が形成され、ガスを一定方向に流動させる。ガス輸送作動器１１のハードウェア構造は後ほど詳細に説明する。ガスセンサー１２は、ＶＯＣｓの検出に用いられる。マイクロプロセッサ１３は、ガスセンサー１２が観測した数値の情報に対して、演算処理を行い、ガス輸送作動器１１の動作を制御する。通信伝送器１４は、マイクロプロセッサ１３が処理して変換した出力データを連結装置２００に送信することで、該連結装置２００が出力データの情報を表示、保存及び伝送することができる。
【００１２】
本発明の一つの実施形態において、前述した連結装置２００は、具体的に有線伝送モジュール又は無線伝送モジュールを有する表示装置又は携帯可能なモバイル装置であり、表示、音、光、又は振動の中の少なくとも一つの方式により通知警告の保護対策を提供する。通信伝送器１４は有線伝送モジュールでもよく、無線伝送モジュールでも良い。有線伝送モジュールは、例えば、ＵＳＢ、ｍｉｎｉ−ＵＳＢ、ｍｉｃｒｏ−ＵＳＢなどの中の少なくとも一つの有線伝送方式であり、無線伝送モジュールは、例えば、Ｗｉ−Ｆｉモジュール、ブルートゥースモジュール、無線周波数識別モジュール、近距離通信モジュールなどの中の少なくとも一つの無線伝送方式である。しかし、連結装置２００及び通信伝送器１４の実施形態は、実際の要求により変更可能であり、これらの例に限定されない。
【００１３】
図１を参照されたい。ステップＳ１０４において、ＶＯＣｓの検出警告方法は、作動センサーモジュール１を用いて気体の輸送及び観測を実施する。この際、作動センサーモジュール１のガス輸送作動器１１は一定輸出量のガスをガスセンサー１２まで輸送し、ガスセンサー１２にて該ガスを検出する。なお、該ガス輸送作動器１１が輸送する該一定輸出量は１Ｌ〜１４Ｌ／ｍｉｎのガス輸送量であるが、これに限定されない。該ガス輸送作動器１１が該一定輸出量のガスをガスセンサー１２まで輸送した後、ガスセンサー１２は、作業観測時間ごとに観測したＶＯＣｓ数値を検出解析に用いる観測数値とする。ここで、作業観測時間は秒単位で計算し、例えば、５秒ごとを一つの作業観測時間とする。
【００１４】
本実施形態中のステップＳ１０６において、観測数値の計算を実施して累積比較数値を得る。該ガス輸送作動器１１が該一定輸出量のガスをガスセンサー１２まで輸送した後、一つの単位時間内に観測した全ての該観測数値に対して累積計算を行い、得られた該累積比較数値を判断基準とする。
【００１５】
続いて、ステップＳ１０８において、比較判断及び警告を実施する。具体的に、該累積比較数値と人間の健康に影響を与える有害代謝量とを比較し、その判断結果で該累積比較数値が該有害代謝量より高いと、該作動センサーモジュール１が通知警告を発信し、使用者に保護対策を提供する。より具体的には、該累積比較数値は、ガスセンサー１２が該単位時間内の作業観測時間ごとに観測したＶＯＣｓの観測数値の合計である。このステップにおいて、主に、マイクロプロセッサ１３により該累積比較数値と有害代謝量とを比較する。前述した有害代謝量は、該単位時間内に人間が該揮発性有機化合物を吸い込んで耐えられる安全暴露量の上限値である。
【００１６】
図３は、本発明の好ましい実施形態におけるガスセンサーが単位時間内に観測した結果を示す図である。前述の通り、ガスセンサー１２が該作業観測時間ｔごとに該ＶＯＣｓ数値を観測した後、マイクロプロセッサ１３が該ＶＯＣｓの観測数値を受信し、該観測数値が有害代謝量より高いか否かを判断する。該観測数値が該有害代謝量より高いと、マイクロプロセッサ１３が作動センサーモジュール１を制御して通知警告を発信する。図に示すように，ガスセンサー１２が複数の作業観測時間ｔにそれぞれ検出した観測数値Ａ〜Ｄ及びＦ〜Ｉは、全て該有害代謝量より高くなかった。この際、マイクロプロセッサ１３は、作動センサーモジュール１を制御して通知警告を発信しない。一方、ガスセンサー１２がそのうちの一つの作業観測時間ｔに検出した観測数値Ｅにおいて、マイクロプロセッサ１３により判断した結果、該観測数値Ｅが有害代謝量より高いと、マイクロプロセッサ１３が作動センサーモジュール１を制御して通知警告を発信する。このように、環境中のＶＯＣｓ濃度が既に安全暴露量の上限値を超えたことを、即座に使用者に警告できる。
【００１７】
同時に、マイクロプロセッサ１３は、ガスセンサー１２が一つの単位時間内の作業観測時間ｔごとに観測したＶＯＣｓの観測数値を累積計算して累積比較数値を算出する。図３に示すように、該均等の作業観測時間ｔを累積して一つの単位時間にし、ガスセンサー１２が各作業観測時間ｔに検出した観測数値Ａ、Ｂ、Ｃ...Ｉの合計を該累積比較数値とする。該単位時間は、一時間、一ヶ月又は一年でも良く、それぞれ人間の健康に影響を与える第一有害代謝量、第二有害代謝量及び第三有害代謝量に対応する。前述した第一有害代謝量、第二有害代謝量及び第三有害代謝量は、それぞれ人間が一時間、一ヶ月又は一年内に該揮発性有機化合物を吸い込んで耐えられる安全暴露量の上限値である。マイクロプロセッサ１３が一時間内の作業観測時間ｔごとに観測したＶＯＣｓの観測数値を合計して第一累積比較数値とし、前述した第一有害代謝量と比較及び判断する。第一累積比較数値が該第一有害代謝量より高いと判断すると、作動センサーモジュール１を制御して通知警告を発信する。同様に、マイクロプロセッサ１３が、一ヶ月内の作業観測時間ｔごとに観測したＶＯＣｓの観測数値を合計して第二累積比較数値とし、一年内の全ての作業観測時間ｔに観測したＶＯＣＳの観測数値を合計して第三累積比較数値とする。マイクロプロセッサ１３は、第二累積比較数値及び第三累積比較数値を、該第二有害代謝量及び該第三有害代謝量とそれぞれ比較及び判断する。第二累積比較数値が該第二有害代謝量より高いと判断すると、または、第三累積比較数値が該第三有害代謝量より高いと判断すると、作動センサーモジュール１を制御して通知警告を発信する。これにより、各時間段階でその累積ＶＯＣｓ暴露量が安全暴露量の上限値に達したことを使用者に警告し、使用者に保護対策を提供する。
【００１８】
図４及び図５を参照されたい。図４は、本発明の好ましい実施形態における作動センサーモジュールの外観構造を示す図であり、図５は、図４が示す作動センサーモジュールの動作を示す図である。作動センサーモジュール１のガス輸送作動器１１、ガスセンサー１２、マイクロプロセッサ１３及び通信伝送器１４は、基座３００に設けられる。なお、ガス輸送作動器１１の構造は、入気板１１１、共振片１１２及び圧電アクチュエーター１１３を含む。入気板１１１は、中心凹部１１１１、少なくとも一つの合流ガイド槽１１１２及び少なくとも一つの入気孔１１１３を有する。なお、中心凹部１１１１は、合流チャンバーＡを構成し、該入気孔１１１３が気流を導入した後、気流は該入気孔１１１３に対応する合流ガイド槽１１１２を経由して合流チャンバーＡまで導入される。共振片１１２は、合流チャンバーＡに対応する中空孔１１２１有し、中空孔１１２１の周囲は可動部材１１２２である。
【００１９】
前述した圧電アクチュエーター１１３と共振片１１２は対応するように設置され、懸吊板１１３１、外枠１１３２、少なくとも一つのブラケット１１３３及び圧電性片１１３４からなる。懸吊板１１３１は、第１表面１１３１a及び第２表面１１３１bを有し、曲げ振動できる。外枠１１３２は、懸吊板１１３１の外側を囲むように設置される。ブラケット１１３３は、懸吊板１１３１と外枠１１３２の間に接続され、弾性支持を提供する。圧電性片１１３４は、辺の長さが懸吊板１１３１の辺の長さより小さい又は同じであり、懸吊板１１３１の第１表面１１３１aに付着し、電圧を印加されることで懸吊板１１３１を駆動して曲げ振動させる。共振片１１２と圧電アクチュエーター１１３の間には、間隙を有することでチャンバーＢを形成する。
【００２０】
前述したガス輸送作動器１１の動作方式は、圧電アクチュエーター１１３を駆動することにより圧電性片１１３４を変形させ、ブラケット１１３３を支点として懸吊板１１３１を連動して往復振動させる。圧電アクチュエーター１１３及び共振片１１２の可動部１１２２は、共振を生じるため、チャンバーＢ内で圧力勾配を形成し、外部空気を吸引して入気板１１１の入気孔１１１３を経由して導入することにより気流を形成する。該気流は合流ガイド槽１１１２を介して中心凹部１１１１の合流チャンバーＡに合流し、また共振片１１２の中空孔１１２１を介してチャンバーＢ内に入る。気流はブラケット１１３３の間に形成された隙間を介してさらに下方向へ流動して圧電アクチュエーター１１３と基座３００の間まで入り、排気通路１１４からガスセンサー１２方向へ噴出される。また、このガス輸送作動器１１が送るガス量は一定輸出量であるため、ガスセンサー１２が外部空気と一致するガスを観測することができ、検出結果の即時性及び精確性を高める。
【００２１】
以上より、本発明における揮発性有機化合物の検出警告方法は、作動センサーモジュールのガス輸送作動器を用いて、一定輸出量のガスをガスセンサーまで輸送して観測することにより、検出精度を高める。ガスセンサーが作業観測時間ごとに得たＶＯＣｓの観測数値が有害代謝量より高いことが判断されると、作動センサーモジュールが通知警告を発信し、環境中のＶＯＣｓ濃度が高すぎることを使用者に警告する。同時に、ガスセンサーが設定の単位時間内の全ての作業観測時間に得たＶＯＣｓの観測数値を累積計算して累積比較数値を算出する。累積比較数値が有害代謝量より高いことを判断した際に、作動センサーモジュールは通知警告を発信し、使用者に保護対策を提供する。これにより、使用者がＶＯＣｓを有する環境中に暴露され、累積損傷を受けることを防止する。
【００２２】
本発明は当業者によって、特許請求の範囲を逸脱しない範囲内での変更は可能である。
【符号の説明】
【００２３】
Ｓ１０２−Ｓ１０８  ：揮発性有機化合物の検出警告方法のステップ
２００：連結装置
３００：基座
１：作動センサーモジュール  
１１：ガス輸送作動器
１１１：入気板
１１１１：中心凹部
１１１２：合流ガイド槽
１１１３：入気孔
１１２：共振片
１１２１：中空孔
１１２２：可動部材
１１３：圧電アクチュエーター
１１３１：懸吊板
１１３１a：第１表面
１１３１b：第２表面
１１３２：外枠
１１３３：ブラケット
１１３４：圧電性片
１１４：排気通路
１２：ガスセンサー
１３：マイクロプロセッサ
１４：通信伝送器
Ａ：合流チャンバー
Ｂ：チャンバー
【図１】
2019114247.tif 000003
【図２】
2019114247.tif 000004
【図３】
2019114247.tif 000005
【図４】
2019114247.tif 000006
【図５】
2019114247.tif 000007
【外国語明細書】
2019114247000001.pdf